(57)【特許請求の範囲】
【請求項１】
メダル載置面に堆積されたメダルをプッシャー台で押すことによりメダル払い出し部に落下させてメダルの払い出しを行うメダルプッシャーゲーム機であって、該メダルプッシャーゲーム機に設けた表示装置が特別の表示になったことを条件に移動物をメダル載置フィールド面に放出し、メダルの移動に伴って放出された移動物を所定の位置まで移動させることにより、メダルの払い出しを、前記メダル払い出し部の落下以外に行うメダル遊技機において、
前記移動物の形状は、前記メダル載置面に接地する接地部と、該接地部の上部に結合した外観部より構成され、前記接地部の接地面と外観部の下面の間の距離はメダルの厚さ以上の寸法であることを特徴とするメダル遊技機。
【請求項２】
前記接地部の水平断面形状は、円，楕円，多角形であることを特徴とする請求項１記載のメダル遊技機。
【請求項３】
前記外観部の下部に結合する接地部の数は３以上であって、該３以上の接地部で前記外観部を支持することを特徴とする請求項１記載のメダル遊技機。
【請求項４】
前記外観部は下面が平面である曲面体であることを特徴とする請求項１，２または３記載のメダル遊技機。
【発明の詳細な説明】
【技術分野】
【０００１】
本発明は、例えばスロットが特別の絵柄で揃ったとき、球体など物体がメダルフィールド面に放出され、メダルの移動に伴って、放出された物体が所定の位置まで移動し、イベントなどを発生させることにより、物体の移動に関連させてメダルをプッシャーで落とす以外にメダル払い出しを行うメダル遊技機に関する。
【背景技術】
【０００２】
メダルをフィールド面に多数堆積させ、プッシャー台で堆積したメダルを押し出すことにより、前面側に設けたメダル払い出し口に落下させ、これに加えて球体をフィールド面に放出することにより球体をメダル払い出しに寄与させるメダルプッシャーゲーム機が提案されている（特許文献１）。
【０００３】
このゲーム機は多数堆積させたメダルの上に、スロットが特別の絵柄で揃ったとき球体を、堆積されたメダルの上に放出するものである。
図４（ａ）に多数堆積させたメダル７の上に載った球２０の状態を示す。メダル７の上に載った球２０はメダルが動かなくても図４（ｂ）に示すようにメダル７の上に載って移動し易い。
【特許文献１】特開２００２−２５３８４２号公報
【発明の開示】
【発明が解決しようとする課題】
【０００４】
従来のこの種のメダルプッシャーゲーム機は上述したようにメダル載置面上に置くため、メダル載置面のメダルの流れと、このメダルの上に載る移動物体の流れが均一ではなく、メダル載置面のメダルの流れが良い場合でも、移動物体が連携して移動するものではなかった。
また、移動物体として球体を用いているため、メダルプッシャーゲーム機筐体が振動した場合、球体の位置が変化してしまうことがあり、ゲーム自体に不正を招きやすく、ゲームの公正さを担保することは困難なものであった。
【０００５】
本発明の目的は、例えばスロットが特別の絵柄で揃ったとき、物体がメダル載置フィールド面に放出され、メダルの移動に伴って放出された物体が所定の位置まで移動して収容溝などに落ちたときイベントなどを発生させることにより、物体の移動に関連させてプッシャーでメダルが払い出される以外にメダル払い出しを行うメダル遊技機において、メダル載置フィールドのメダルの流れと物体の流れをリンクさせ、遊技者のメダル投入による成果を確実に反映させ、メダルゲーム機の公正さを担保することができる遊技機を提供することにある。
【課題を解決するための手段】
【０００６】
前記目的を達成するために本発明の請求項１は、メダル載置面に堆積されたメダルをプッシャー台で押すことによりメダル払い出し部に落下させてメダルの払い出しを行うメダルプッシャーゲーム機であって、該メダルプッシャーゲーム機に設けた表示装置が特別の表示になったことを条件に移動物をメダル載置フィールド面に放出し、メダルの移動に伴って放出された移動物を所定の位置まで移動させることにより、メダルの払い出しを、前記メダル払い出し部の落下以外に行うメダル遊技機において、前記移動物の形状は、前記メダル載置面に接地する接地部と、該接地部の上部に結合した外観部より構成され、前記接地部の接地面と外観部の下面の間の距離はメダルの厚さ以上の寸法であることを特徴とする。
前記表示装置は例えば、スロットであって、特別の表示になる条件とは特定の絵柄にすべてが揃った場合などである。
本発明の請求項２は請求項１記載の発明において前記接地部の水平断面形状は、円，楕円，多角形であることを特徴とする。
本発明の請求項３は請求項１記載の発明において前記外観部の下部に結合する接地部の数は３以上であって、該３以上の接地部で前記外観部を支持することを特徴とする。
本発明の請求項４は請求項１，２または３記載の発明において前記外観部は下面が平面である曲面体であることを特徴とする。
【発明の効果】
【０００７】
上記構成によれば、メダル載置面のメダルの流れと物体の流れがリンクするため、すなわち物体の前後に載置されたメダルの流れと物体の流れとは同じになるため、遊技者のメダル投入により成果が確実に反映できる。また、転がって移動する形状ではなく、接地面が載置面に対し滑って移動する構造であるため、遊技の公正さを保つことができる。
【発明を実施するための最良の形態】
【０００８】
以下、図面を参照して本発明の実施の形態を詳しく説明する。
図１は本発明によるメダル遊技機の外観の一部を示す斜視図である。
この実施の形態はメダルプッシャーゲーム機で、メダル載置面付近を中心に示したものである。メダル投入ガイド６ａがゲーム機の後方からメダルを投入できるように設置され、さらにメダル投入ガイド６ｂがゲーム機の前方からメダルを投入できるようにそれぞれ設置されている。遊技者はいずれかのメダル投入ガイドからメダルをメダル載置台３に投入することができる。メダル載置台３は中央に設置され、その前方にメダル払い出し部４が設けられている。
【０００９】
メダル載置台３の背面にプッシャー台２が配置されている。プッシャー台２は前部中央に移動物出力孔９を有し、プッシャー台全体が繰り返し前後動する。プッシャー台２の背面にスロット部５が設けられている。スロット部５を構成する３個のリール５ａ，５ｂ，５ｃの絵柄が特定の絵柄で揃うと、移動物出力孔９から移動物８がメダル載置台３に押し出される。
メダル投入ガイド６ａ，６ｂから投入されたメダルはプッシャー台２の上に載るか、またはプッシャー台に当たって跳ね返りメダル載置台３に載る。
プッシャー台２の上に載ったメダル７はプッシャー台２の前後の移動により少しずつメダル載置台３に落下する。また、メダル載置台３に載っているメダル７はプッシャー台２に押され少しずつ前方に移動する。
【００１０】
メダル払い出し部４付近まで押されたメダル７は、投入されたメダルが加わることによりメダル載置台３後方のメダルによって前方にさらに押されてメダル払い出し部４に落下し払い出される。
このとき、移動物８がメダル載置台３に放出されていれば、移動物８はメダル７の間の載置面上を後方にあるメダルに押され前方に移動する。このように移動することにより移動物８は徐々に近づき最後は払い出し部４に落下する。移動物８が払い出し部４に落下した場合、特別なイベントが発生し、払い出し部４から払い出されたメダルとは別に、所定の数のメダルが払い出される。移動物８はメダルの上には載らない構造である。
【００１１】
図２Ａは本発明にかかる移動物の具体的形状例を説明するための図である。
移動物８は外観部１４と接地部１２から構成されている。外観部１４はきのこ形状であり、外観部１４の下面に高さｒの接地部１２が結合している。高さｒはメダル７の厚さより大きく設定されている。接地部１２の高さをメダル７の厚さより大きくすることにより、外観部１４の下面がメダル７の上面に接することなく円滑に移動することができる。
接地部１２の水平断面形状は円形１２ａ，四角１２ｂ，八角形１２ｃ，楕円１２ｄ，三角形１２ｅのいずれでも良い。
【００１２】
図２Ｂは本発明にかかる移動物の具体的形状の他の例を説明するための図である。
この実施の形態は、移動物８の接地部１２の数が３個の例であり、各接地部の高さは図２Ａの例と同様、メダル７の厚さ以上とする。接地部１２の水平断面積を１３ａ，１３ｂに示すように様々な大きさにすることができる。この他に４個以上接地部を設けることもできる。
【００１３】
図３は本発明にかかる移動物がメダル載置面を流れる様子を説明するための図である。
図３（ａ）に示すように移動物８の接地部１２はメダル７の間のメダル載置面で起立する。そのため移動物８は図３（ｂ）に示すようにメダル載置台でメダル７ａが押されると、メダル７ｂが押され、さらには移動物８の接地部１２がメダル７ｂによって押される。さらに接地部１２によってメダル７ｃが移動物８の移動量とほぼ同じ距離だけ移動する。したがって、移動物８のみメダルの移動とは異なった振る舞いをすることはなく、転がることなくメダルの移動にしたがって移動することとなる。
【００１４】
以上の実施の形態は外観部がきのこ形状の例について説明したが、外観部の形状はきのこ形状に限らず他の形状であっても本発明の効果を得ることができる。
また、図１では１個の移動物がメダル載置台に送り出された例について説明したが、移動物が複数個同時にメダル載置台に送り出される場合にも同様な動作をする。
【産業上の利用可能性】
【００１５】
業務用メダルプッシャーゲーム機などのメダル遊技機である。
【図面の簡単な説明】
【００１６】
【図１】本発明によるメダル遊技機の外観の一部を示す斜視図である。
【図２Ａ】本発明にかかる移動物の具体的形状例を説明するための図である。
【図２Ｂ】本発明にかかる移動物の具体的形状の他の例を説明するための図である。
【図３】本発明にかかる移動物がメダル載置面を流れる様子を説明するための図である。
【図４】従来の球形状の移動物がメダル上面を流れる様子を説明するための図である。
【符号の説明】
【００１７】
１  メダルプッシャーゲーム機
２  プッシャー台
３  メダル載置台
４  メダル払い出し部
５  スロット部
６ａ，６ｂ  メダル投入ガイド
７  メダル
８  移動物
９  移動物出力孔
１２  接地部
１４  外観部
【図１】
0005004861.tif 000002
【図２Ａ】
0005004861.tif 000003
【図２Ｂ】
0005004861.tif 000004
【図３】
0005004861.tif 000005
【図４】
0005004861.tif 000006